(57)【要約】【課題】撮影シーンに応じて露出演算や画像調整パラメータを決定する電子カメラで単色画像を得る。【解決手段】電子カメラは、被写体像を撮像して画像データを生成する撮像手段１０４と、撮像手段１０４で生成された画像データに画像調整を行う画像調整手段１０１と、撮影シーンに応じた露出演算によって撮像時の制御露出を決定するとともに、カラー撮影または単色撮影の指示、および撮影シーンに応じて画像調整時の画像調整パラメータを決定する第１制御手段１０１とを備える。【選択図】図２
2009200687.tif 000002
【特許請求の範囲】
【請求項１】
被写体像を撮像して画像データを生成する撮像手段と、
前記撮像手段で生成された画像データに画像調整を行う画像調整手段と、
撮影シーンに応じた露出演算によって前記撮像時の制御露出を決定するとともに、カラー撮影または単色撮影の指示、および前記撮影シーンに応じて前記画像調整時の画像調整パラメータを決定する第１制御手段とを備えることを特徴とする電子カメラ。
【請求項２】
請求項１に記載の電子カメラにおいて、
前記第１制御手段は、前記単色撮影時、前記撮影シーンごとにあらかじめ決められている単色撮影用の画像調整パラメータから前記撮影シーンに対応するパラメータを選ぶことを特徴とする電子カメラ。
【請求項３】
請求項１に記載の電子カメラにおいて、
前記カラー撮影または前記単色撮影の指示を受け付けるための表示画面であって、前記カラー撮影および前記単色撮影を示す項目を並列に表示する画面を表示装置に表示させる表示制御装置をさらに備えることを特徴とする電子カメラ。
【請求項４】
請求項１に記載の電子カメラにおいて、
露出演算モードに応じた露出演算によって前記撮像時の制御露出を決定するとともに、画像調整指示に応じて前記画像調整時の画像調整パラメータを決定する第２制御手段と、
前記第１制御手段または前記第２制御手段のいずれか一方を選択するための操作部材とをさらに備えることを特徴とする電子カメラ。
【請求項５】
請求項４に記載の電子カメラにおいて、
前記第２制御手段は、前記画像調整指示に応じて、あらかじめ決められている画像調整パラメータまたは前記操作部材からの信号に応じた画像調整パラメータのいずれかを選ぶことを特徴とする電子カメラ。
【発明の詳細な説明】
【技術分野】
【０００１】
本発明は、電子カメラに関する。
【背景技術】
【０００２】
撮影画像に対して色補正処理を行うことにより、白黒画像やセピア画像を得るカメラが知られている（特許文献１参照）。
【０００３】
【特許文献１】特開２００３−１３４５２０号公報
【発明の開示】
【発明が解決しようとする課題】
【０００４】
露出の制御、画質調整（色調整を含む）を撮影シーンに応じて自動的に決定するイメージプログラム機能を備えるカメラでは、従来技術のような白黒画像を得ることができなかった。
【課題を解決するための手段】
【０００５】
（１）本発明による電子カメラは、被写体像を撮像して画像データを生成する撮像手段と、撮像手段で生成された画像データに画像調整を行う画像調整手段と、撮影シーンに応じた露出演算によって撮像時の制御露出を決定するとともに、カラー撮影または単色撮影の指示、および撮影シーンに応じて画像調整時の画像調整パラメータを決定する第１制御手段とを備えることを特徴とする。
（２）請求項１に記載の電子カメラにおいて、第１制御手段は、単色撮影時、撮影シーンごとにあらかじめ決められている単色撮影用の画像調整パラメータから撮影シーンに対応するパラメータを選ぶことが好ましい。
（３）請求項１に記載の電子カメラはさらに、カラー撮影または単色撮影の指示を受け付けるための表示画面であって、カラー撮影および単色撮影を示す項目を並列に表示する画面を表示装置に表示させる表示制御装置を備えてもよい。
（４）請求項１に記載の電子カメラはさらに、露出演算モードに応じた露出演算によって撮像時の制御露出を決定するとともに、画像調整指示に応じて画像調整時の画像調整パラメータを決定する第２制御手段と、第１制御手段または第２制御手段のいずれか一方を選択するための操作部材とを備えてもよい。
（５）請求項４に記載の電子カメラにおいて、第２制御手段は、画像調整指示に応じて、あらかじめ決められている画像調整パラメータまたは操作部材からの信号に応じた画像調整パラメータのいずれかを選ぶこともできる。
【発明の効果】
【０００６】
本発明によれば、撮影シーンに応じて露出演算や画像調整パラメータを決定する電子カメラで単色画像が得られる。
【発明を実施するための最良の形態】
【０００７】
以下、図面を参照して本発明を実施するための最良の形態について説明する。図１は、本発明の一実施の形態による電子カメラ１の背面図である。電子カメラ１の背面には、表示装置１１と、メニューボタン２１と、マルチセレクター３０とが設けられている。電子カメラ１の上面には、モードダイヤル４０が設けられている。
【０００８】
表示装置１１はＴＦＴ液晶などによって構成され、撮影画像やメニュー画面などを表示する。メニューボタン２１は、表示装置１１にメニュー画面を表示させるための操作部材である。表示装置１１が消灯しているときにメニューボタン２１が押下操作されると、電子カメラ１は表示装置１１にメニュー画面を表示させる。表示装置１１がメニュー画面を表示しているときにメニューボタン２１が押下操作されると、電子カメラ１は表示中のメニュー画面表示を消灯させる。
【０００９】
マルチセレクター３０は、上下左右方向に対応する十字操作キー（右方向３０ａ、上方向３０ｂ、左方向３０ｃ、下方向３０ｄ）によって構成される。電子カメラ１は、マルチセレクター３０からの操作信号に応じて、表示装置１１によって表示中の画面内で選択用カーソルの表示位置を移動させたり、選択用カーソルが示す項目を選択決定したりする。具体的には、表示装置１１にメニュー画面を表示中に操作キー３０ａが押下されると、電子カメラ１は選択用カーソルが示す項目を選択決定する。選択した項目がさらに下層（下位）の選択項目を有する場合には、操作キー３０ａが押下されると選択項目に対応する下層の選択画面を表示装置１１に表示させる。
【００１０】
電子カメラ１は、表示装置１１にメニュー画面を表示中に操作キー３０ｂが押下されると、選択用カーソルを上側に隣接する項目へ移動させる。表示装置１１にメニュー画面を表示中に操作キー３０ｃが押下されると、電子カメラ１は、選択項目の上層（上位）の選択画面を表示装置１１に表示させる。電子カメラ１はさらに、表示装置１１にメニュー画面を表示中に操作キー３０ｄが押下されると、選択用カーソルを下側に隣接する項目へ移動させる。
【００１１】
電子カメラ１は、記録済みの撮影画像を表示装置１１にサムネイル表示する場合には、マルチセレクター３０からの操作信号に応じてサムネイル画像上で選択用カーソルを移動させ、サムネイルを選択するために選択用カーソルを用いる。
【００１２】
モードダイヤル４０は回転操作部材である。電子カメラ１は、ユーザによりモードダイヤル４０が回転操作されると、回転操作に応じて撮影（シーン）モードおよび露出制御モードを切換える。撮影（シーン）モードとしては、デジタルイメージプログラムを利用した「カメラオートモード」、「ポートレートモード」、「風景モード」、「クローズアップモード」、「スポーツモード」、「夜景モード」、「夜景ポートレートモード」が含まれる。露出制御モードとしては、「プログラムオートモード」、「シャッター優先オートモード」、「絞り優先オートモード」、「マニュアルモード」が備えられる。ユーザは、モードダイヤル４０を回転操作することによって、上記複数のモードの中から所望のモードを選択する。
【００１３】
ここで、デジタルイメージプログラムは、露出の制御情報を撮影シーンに応じて決定し、輪郭強調や階調補正等の画質調整を撮影シーンおよび後述する白黒／カラー設定に応じて自動的に決定するプログラムである。露出制御モードは、露出の制御と画質調整とをそれぞれユーザ設定（露出演算モード設定、仕上がり設定）に応じて決定するモードである。
【００１４】
図２は、電子カメラ１のメニュー画面表示に関する構成を例示するブロック図である。演算回路１０１はＣＰＵによって構成され、メニュー画面を表示装置１１に表示させるために必要な制御を行う。演算回路１０１には撮像素子を有する撮像装置１０４も接続される。演算回路１０１は、表示制御処理の他に撮影処理に関する各種演算やシーケンス制御も行うが、本説明は表示制御処理を中心に行い、撮影処理についての説明を省略する。
【００１５】
図２において、演算回路１０１にはスイッチ２０１、スイッチ３０１〜３０４、およびモードダイヤル４０からの操作信号が入力される。スイッチ２０１は、メニューボタン２１の押下操作によりオンし、メニューボタン２１の押下操作の解除によりオフする。スイッチ３０１は、マルチセレクター３０の右方向の操作キー３０ａの押下操作によりオンし、操作キー３０ａの押下操作の解除によりオフする。スイッチ３０２は、マルチセレクター３０の上方向の操作キー３０ｂの押下操作によりオンし、操作キー３０ｂの押下操作の解除によりオフする。
【００１６】
スイッチ３０３は、マルチセレクター３０の左方向の操作キー３０ｃの押下操作によりオンし、操作キー３０ｃの押下操作の解除によりオフする。スイッチ３０４は、マルチセレクター３０の下方向の操作キー３０ｄの押下操作によりオンし、操作キー３０ｄの押下操作の解除によりオフする。
【００１７】
モードダイヤル４０の回転位置は、エンコーダ（不図示）等により識別されて演算回路１０１へ出力される。演算回路１０１は、スイッチ２０１、３０１〜３０４からの入力信号、およびモードダイヤル４０の回転操作信号に基づいて表示装置１１に表示するメニュー画面の制御を行う。
【００１８】
ＲＯＭ１０２には、メニュー画面の表示制御に関する制御プログラムや、電子カメラ１において設定可能な各種のメニューおよび項目の情報が記憶されている。演算回路１０１は、ＲＯＭ１０２に記憶された制御プログラムを読み出してメニュー画面の表示制御を実行するとともに、ＲＯＭ１０２に記憶された複数の項目情報を読み出して表示装置１１に表示させる。メモリ１０３は不揮発性メモリによって構成され、メニュー画面を表示中に選択決定した項目の情報を保存するために用いられる。
【００１９】
＜露出制御モードにおけるメニュー表示＞
電子カメラ１は、階層構造で形成された複数の項目をマルチセレクター３０の操作に応じて段階的に表示装置１１に表示させる。図３は、表示装置１１に表示した撮影メニュー画面を例示する図である。図３において、撮影メニュー５００は、仕上がり設定５０１、画質モード５０２、画像サイズ５０３、ホワイトバランス５０４、ＩＳＯ感度設定５０５、長秒時ノイズ低減５０６、および高感度ノイズ低減５０７の７つの項目を含む。これら７つの項目は、撮影メニュー５００の第１階層に属する操作項目である。
【００２０】
ここで、仕上がり設定５０１は、撮像装置１０４で撮像された画像データに複数種類の画質調整を行うための項目である。画質モード５０２は、画像の圧縮率（画質）を設定するための項目である。画像サイズ５０３は、画像ファイルの大きさを設定するための項目である。ホワイトバランス５０４は、光源の色温度設定に関する項目である。
【００２１】
ＩＳＯ感度設定５０５は、撮像素子の光に対する感受性を設定する項目であり、フィルムのＩＳＯ感度に相当する値を設定する。長秒時ノイズ低減５０６は、シャッタ速度が低速になった場合に発生する、いわゆる長秒時ノイズを低減するために長秒時ノイズ低減処理の設定／解除を選択するための項目である。高感度ノイズ低減５０７は、ＩＳＯ感度を高くして撮影するときに発生する高感度ノイズを低減するために高感度ノイズ低減処理の設定／解除を選択するための項目である。
【００２２】
撮影メニュー５００の第１階層の項目５０１〜５０７は、それぞれがさらに下層の第２階層に複数の項目を有する。図４および図８(a)〜図８(f)は、それぞれ項目５０１〜５０７の第２階層に属する項目についての表示画面を例示する図である。図４において、仕上がり設定５０１は、輪郭強調６０１、階調補正６０２、カラー設定６０３、彩度設定６０４、色合い調整６０５、および白黒６０６の６つの項目を含む。これら６つの項目は、仕上がり設定５０１の第２階層に属する操作項目である。
【００２３】
輪郭強調６０１は、画像の輪郭の強調度合（シャープネス）を設定するための項目である。階調補正６０２は、画像の階調（コントラスト）を設定するための項目である。カラー設定６０３は、画像の色再現を設定するための項目である。彩度設定６０４は、画像の彩度を設定するための項目である。色合い調整６０５は、画像の色合いを調整するための項目である。白黒６０６は、白黒画像を得る場合の詳細設定を行うための項目である。
【００２４】
本実施形態の電子カメラ１は、カラーの撮影画像を取得する他に、単色の撮影画像の取得も可能に構成される。本説明では、単色画像を白黒のモノクロ画像として説明する。
【００２５】
図８(a)において、画質モード５０２は、ＦＩＮＥ５２１、ＮＯＲＭＡＬ５２２、およびＢＡＳＩＣ５２３の３つの項目を含む。図８(b)において、画像サイズ５０３は、サイズＬ５３１、サイズＭ５３２、およびサイズＳ５３３の３つの項目を含む。
【００２６】
図８(c)において、ホワイトバランス５０４は、オート５４１、電球５４２、蛍光灯５４３、晴天５４４、フラッシュ５４５、曇天５４６、および晴天日陰５４７の７つの項目を含む。図８(d)において、ＩＳＯ感度設定５０５は、１００（５５１）、２００（５５２）、４００（５５３）、８００（５５４）、および１６００（５５５）の５つの項目を含む。
【００２７】
図８(e)において、長秒時ノイズ低減５０６は、しない５６１、および、する５６２の２つの項目を含む。図８(f)において、高感度ノイズ低減５０７は、標準５７１、弱め５７２、強め５７３、および、しない５７４の４つの項目を含む。
【００２８】
仕上がり設定５０１の第２階層の項目６０１〜６０６は、それぞれがさらに下層の第３階層に複数の項目を有する。図５(a)〜図５(e)および図６は、それぞれ項目６０１〜６０６の第３階層に属する項目についての表示画面を例示する図である。図５(a)において、輪郭強調６０１は、オート６１１、標準６１２、弱め６１３、強め６１４、および、しない６１５の５つの項目を含む。
【００２９】
図５(b)において、階調補正６０２は、オート６２１、標準６２２、コントラスト弱め６２３、コントラストやや弱め６２４、コントラストやや強め６２５、コントラスト強め６２６の６つの項目を含む。図５(c)において、カラー設定６０３は、モードI６３１、モードII６３２、およびモードIII６３３の３つの項目を含む。
【００３０】
図５(d)において、彩度設定６０４は、標準６４１、弱め６４２、および強め６４３の３つの項目を含む。図５(e)において、色合い調整６０５は、＋９°（６５１）、＋６°（６５２）、＋３°（６５３）、０°（６５４）、−３°（６５５）、−６°（６５６）、および、−９°（６５７）の７つの項目を含む。
【００３１】
図６において、白黒６０６は、スタンダード６６１、カスタマイズ（設定終了）６６２、輪郭強調６６３、階調補正６６４、およびフィルター効果６６５の５つの項目を含む。なお、輪郭強調６６３、階調補正６６４、およびフィルター効果６６５は、カスタマイズ（設定終了）６６２の下層の項目（カスタマイズ項目）に相当するが、白黒６０６の一段下層の項目であるスタンダード６６１およびカスタマイズ（設定終了）６６２と同時に並列して表示させるため、便宜上、第３階層として説明する。
【００３２】
白黒画像を得る場合（白黒モード）の詳細設定を行う項目６６３〜６６５は、それぞれがさらに下層の第４階層に複数の項目を有する。図７(a)〜(c)は、それぞれ項目６６３〜６６５の第４階層に属する項目についての表示画面を表示する図である。図７(a)において、輪郭強調６６３は、オート７１１、標準７１２、弱め７１３、強め７１４、および、しない７１５の５つの項目を有する。図７(b)において、階調補正６６４は、オート７２１、標準７２２、コントラスト弱め７２３、およびコントラスト強め７２４の４つの項目を有する。
【００３３】
図７(c)において、フィルター効果６６５は、なし７３１、黄７３２、オレンジ７３３、赤７３４、および緑７３５の５つの項目を有する。なお、フィルター効果６６５は、白黒写真用カラーフィルタを通して撮影した場合と同様の効果を得るための項目である。黄７３２、オレンジ７３３、または赤７３４を選択すると、コントラストを強調する効果が得られる。コントラスト強調効果は、黄→オレンジ→赤の順に強くなる。緑７３５を選択すると、肌の色や唇などを落ち着いた感じに仕上がる。
【００３４】
＜撮影（シーン）モードにおけるメニュー表示＞
電子カメラ１は、露出制御モードの場合と同様に、階層構造で形成された複数の項目をマルチセレクター３０の操作に応じて段階的に表示装置１１に表示させる。図１１は、表示装置１１に表示した撮影メニュー画面を例示する図である。図１１において、ホワイトバランス５０４が選択不可にされる点が露出制御モードにおける撮影メニュー画面（図３）と相違する。上述したように、撮影（シーン）モードではデジタルイメージプログラムによって電子カメラ１が画質調整パラメータを自動的に決定するため、ユーザによるホワイトバランスに関する設定操作を必要としないからである。
【００３５】
撮影メニュー５００の第１階層の項目５０１〜５０３、５０５〜５０７は、それぞれがさらに下層の第２階層に複数の項目を有する。図１２および図８(a)、図８(b)、図８(d)〜図８(f)は、それぞれ項目５０１〜５０３、５０５〜５０７の第２階層に属する項目についての表示画面を例示する図である。
【００３６】
項目５０２、５０３、５０５〜５０７についての第２階層に属する項目の表示画面は、露出制御モードの場合の表示画面と同様である。項目５０１についての第２階層に属する項目の表示画面は、露出制御モードの場合の表示画面（図４）に代えて、図１２に例示する表示画面を用いる。図１２において、仕上がり設定５０１は、カラー１６０１、および白黒１６０２の２つの項目を含む。これら２つの項目は、仕上がり設定５０１の第２階層に属する操作項目である。
【００３７】
このように、撮影（シーン）モードにおいては第３階層および第４階層に属する項目の表示を行わないように構成される。撮影（シーン）モードではデジタルイメージプログラムによって電子カメラ１が画質調整パラメータを自動的に決定するため、ユーザによる設定操作を必要としないからである。図１３は、カラー１６０１を選択した場合に電子カメラ１が自動決定する画質調整内容を例示する図である。また。図１４は、白黒１６０２を選択した場合に電子カメラ１が自動決定する画質調整内容を例示する図である。
【００３８】
＜白黒モード＞
白黒モードに関する設定について詳細に説明する。電子カメラ１は、メニューボタン２１が押下操作されると表示装置１１を点灯し、図３に例示した撮影メニュー５００の第１階層の項目５０１〜５０７を、表題「撮影メニュー」とともに表示させる。電子カメラ１は、マルチセレクタ３０の上方向の操作キー３０ｂまたは下方向の操作キー３０ｄの操作に応じて選択用カーソルを移動させ、仕上がり設定５０１を選択する。図においては、項目を囲む枠によって選択用カーソル位置を表している。
【００３９】
電子カメラ１は、マルチセレクタ３０の右方向の操作キー３０ａの操作に応じて、図４に例示した仕上がり設定５０１の第２階層の項目６０１〜６０６を表示させる。電子カメラ１は、マルチセレクタ３０の上方向の操作キー３０ｂまたは下方向の操作キー３０ｄの操作に応じて選択用カーソルを移動させ、白黒６０６を選択する。電子カメラ１は、マルチセレクタ３０の右方向の操作キー３０ａの操作に応じて、図６に例示した白黒６０６の第３階層の項目６６１〜６６５を、表題「白黒」とともに表示させる。
【００４０】
（１）標準設定
電子カメラ１は、選択用カーソルが図６に例示した表示画面上でスタンダード６６１を選択している状態で、マルチセレクタ３０の右方向の操作キー３０ａが操作されると、白黒画像を取得する場合の標準的な設定内容を決定する。白黒モードの標準的な設定では、輪郭強調を標準、階調補正を標準、およびフィルター効果をなしに設定する。これにより、白黒モードで撮影をしてみたいという初心者のユーザは、白黒６０６のスタンダード６６１を選択することによって、白黒撮影に関する詳細設定を行う必要がなく、標準的な設定で白黒撮影を行える。
【００４１】
（２）カスタマイズ設定
電子カメラ１は、選択用カーソルが図６に例示した表示画面上でカスタマイズ項目である輪郭強調６６３、階調補正６６４、またはフィルター効果６６５を選択している状態で、マルチセレクタ３０の右方向の操作キー３０ａが操されると、図７(a)〜図７(c)のいずれかに例示されている第４階層の項目を表示させる。たとえば、輪郭強調６６３が選択操作された場合には、図７(a)に例示する輪郭強調６６３の第４階層の項目７１１〜７１５を、表題「白黒」「カスタマイズ」「輪郭強調」とともに表示させる。
【００４２】
図７(a)の第４階層の画面を表示中の電子カメラ１は、マルチセレクタ３０の上方向の操作キー３０ｂまたは下方向の操作キー３０ｄの操作に応じて選択用カーソルを移動させ、オート７１１、標準７１２、弱め７１３、強め７１４、および、しない７１５のうちいずれかの項目を選択する。電子カメラ１は、マルチセレクタ３０の右方向の操作キー３０ａの操作に応じて選択項目を決定した上で、図６に例示した白黒６０６に関する第３階層の項目６６１〜６６５の表示へ戻る。
【００４３】
また、電子カメラ１は、図６に例示した表示画面上で階調補正６６４が選択操作された場合には、図７(b)に例示する階調補正６６４の第４階層の項目７２１〜７２４を、表題「白黒」「カスタマイズ」「階調補正」とともに表示させる。
【００４４】
図７(b)の第４階層の画面を表示中の電子カメラ１は、マルチセレクタ３０の上方向の操作キー３０ｂまたは下方向の操作キー３０ｄの操作に応じて選択用カーソルを移動させ、オート７２１、標準７２２、コントラスト弱め７２３、およびコントラスト強め７２４のうちいずれかの項目を選択する。電子カメラ１は、マルチセレクタ３０の右方向の操作キー３０ａの操作に応じて選択項目を決定した上で、図６に例示した白黒６０６に関する第３階層の項目６６１〜６６５の表示へ戻る。
【００４５】
さらにまた、電子カメラ１は、図６に例示した表示画面上でフィルター効果６６５が選択操作された場合には、図７(c)に例示するフィルター効果６６５の第４階層の項目７３１〜７３５を、表題「白黒」「カスタマイズ」「フィルター効果」とともに表示させる。
【００４６】
図７(c)の第４階層の画面を表示中の電子カメラ１は、マルチセレクタ３０の上方向の操作キー３０ｂまたは下方向の操作キー３０ｄの操作に応じて選択用カーソルを移動させ、なし７３１、黄７３２、オレンジ７３３、赤７３４、および緑７３５のうちいずれかの項目を選択する。電子カメラ１は、マルチセレクタ３０の右方向の操作キー３０ａの操作に応じて選択項目を決定した上で、図６に例示した白黒６０６に関する第３階層の項目６６１〜６６５の表示へ戻る。
【００４７】
白黒モードに関するカスタマイズ項目である輪郭強調６６３、階調補正６６４、およびフィルター効果６６５の各項目を設定した後、図６に例示した第３階層の画面を表示中の電子カメラ１は、マルチセレクタ３０の上方向の操作キー３０ｂまたは下方向の操作キー３０ｄの操作に応じて選択用カーソルを移動させ、カスタマイズ（設定終了）６６２を選択する。電子カメラ１は、マルチセレクタ３０の右方向の操作キー３０ａの操作に応じて、輪郭強調６６３、階調補正６６４、およびフィルター効果６６５について設定された内容を確定した上で、図４に例示した仕上がり設定５０１の第２階層の項目６０１〜６０６の表示へ戻る。
【００４８】
以上説明したように、詳細な設定を行ったうえで白黒モードで撮影をしたいというユーザは、白黒６０６のカスタマイズ項目６６３〜６６５を選択することによって、白黒撮影に関して所望の設定内容で白黒撮影を行える。
【００４９】
なお、輪郭強調や階調補正に関するカスタマイズ設定は、カラーモードでも行うことができるが、図６および図７(a)〜図７(c)に示したように、白黒モードの場合は白黒モードに関する設定であることが分かるような表示形態で表示する。具体的には、白黒モードのメニュー画面において、表示画面内に「白黒」という表題を表示する。一方、カラーモードの場合は図５(a)、図５(b)に例示したように、カラーモードであることを明示する表題を表示していない。このように、詳細設定を行う表示画面の表示態様を白黒モードとカラーモードで明らかに異なるようにしたので、白黒モードのメニュー画面とカラーモードのメニュー画面とを容易に区別できることからユーザが混乱するおそれがない。
【００５０】
＜メニュー表示制御処理＞
以上説明した電子カメラ１の演算回路１０１が実行する表示制御処理の流れについて、図９、図１０のフローチャートを参照して白黒モードに関するメニュー表示を中心に説明する。演算回路１０１は、電子カメラ１に不図示の電池が装填された状態でメニューボタン２１が押下操作されると、図９による処理を行うプログラムを起動させる。
【００５１】
図９のステップＳ１０１において、演算回路１０１は撮影シーンモードか否かを判定する。演算回路１０１は、モードダイヤル４０の操作によってデジタルイメージプログラムを利用する撮影シーンモード（すなわち、カメラオートモード、ポートレートモード、風景モード、クローズアップモード、スポーツモード、夜景モード、および夜景ポートレートモードのいずれか）が選択されている場合にステップＳ１０１を肯定判定して図１０のステップＳ１５１へ進む。演算回路１０１は、撮影シーンモード以外の露出制御モード（すなわち、プログラムオートモード、シャッター優先オートモード、絞り優先オートモード、およびマニュアルモードのいずれか）が選択されている場合にはステップＳ１０１を否定判定し、ステップＳ１０２へ進む。
【００５２】
ステップＳ１０２において、演算回路１０１は、仕上がり設定に関するメニュー選択か否かを判定する。演算回路１０１は、図３に例示した撮影メニュー５００の第１階層の項目５０１〜５０７を表示装置１１へ表示中に仕上がり設定５０１を選択する操作信号を受けた場合、ステップＳ１０２を肯定判定してステップＳ１０３へ進む。演算回路１０１は、仕上がり設定５０１を選択する操作信号を受けない場合にはステップＳ１０２を否定判定し、ステップＳ１１０へ進む。
【００５３】
ステップＳ１０３において、演算回路１０１は、白黒モードに関するメニュー選択か否かを判定する。演算回路１０１は、図４に例示した仕上がり設定５０１の第２階層の項目６０１〜６０６を表示装置１１へ表示中に白黒６０６を選択する操作信号を受けた場合、ステップＳ１０３を肯定判定してステップＳ１０４へ進む。演算回路１０１は、白黒６０６を選択する操作信号を受けない場合にはステップＳ１０３を否定判定し、ステップＳ１１１へ進む。
【００５４】
ステップＳ１０４において、演算回路１０１は、表示装置１１の表題に「白黒」を表示させてステップＳ１０５へ進む。ステップＳ１０５において、演算回路１０１は撮影シーンモードか否かを判定する。演算回路１０１は、モードダイヤル４０の操作によって撮影シーンモードが選択された場合にステップＳ１０５を肯定判定してステップＳ１１５へ進む。演算回路１０１は、撮影シーンモード以外の露出制御モードが選択されている場合にはステップＳ１５１を否定判定し、ステップＳ１０６へ進む。
【００５５】
ステップＳ１０６において、演算回路１０１は、「スタンダード」選択か否かを判定する。演算回路１０１は、図６に例示した白黒６０６の第３階層の項目６６１〜６６５を表示装置１１へ表示中にスタンダード６６１を選択する操作信号を受けた場合、ステップＳ１０６を肯定判定してステップＳ１１２へ進む。演算回路１０１は、スタンダード６６１を選択する操作信号を受けない場合にはステップＳ１０６を否定判定し、ステップＳ１０７へ進む。
【００５６】
ステップＳ１０７において、演算回路１０１は、白黒モードに関するカスタマイズ項目である輪郭強調６６３、階調補正６６４、およびフィルター効果６６５の各項目の設定変更を受け付けてステップＳ１０８へ進む。
【００５７】
ステップＳ１０８において、演算回路１０１は「カスタマイズ（設定終了）」選択か否かを判定する。演算回路１０１は、図６に例示した第３階層の画面を表示装置１１へ表示中にカスタマイズ（設定終了）６６２を選択する操作信号を受けた場合、ステップＳ１０８を肯定判定してステップＳ１０９へ進む。演算回路１０１は、カスタマイズ（設定終了）６６２を選択する操作信号を受けない場合にはステップＳ１０８を否定判定し、ステップＳ１０５へ戻る。
【００５８】
ステップＳ１０９において、演算回路１０１は、輪郭強調６６３、階調補正６６４、およびフィルター効果６６５について設定された内容を確定し、ステップＳ１１３へ進む。
【００５９】
ステップＳ１０６を肯定判定して進むステップＳ１１２において、演算回路１０１は、輪郭強調を標準に、階調補正を標準に、およびフィルター効果を「なし」にそれぞれ設定してステップＳ１１３へ進む。
【００６０】
ステップＳ１１３において、演算回路１０１は、白黒モードのメニュー表示を終了してステップＳ１１４へ進む。具体的には、図４に例示した仕上がり設定５０１の第２階層の項目６０１〜６０６を表示装置１１へ表示する。
【００６１】
ステップＳ１０２を否定判定して進むステップＳ１１０において、演算回路１０１は、仕上がり設定５０１以外の他のメニュー処理（すなわち、画質モード５０２、画像サイズ５０３、ホワイトバランス５０４、ＩＳＯ感度設定５０５、長秒時ノイズ低減５０６、および高感度ノイズ低減５０７）を行ってステップＳ１１４へ進む。
【００６２】
ステップＳ１０３を否定判定して進むステップＳ１１１において、演算回路１０１は、白黒６０６以外の他のメニュー処理（すなわち、輪郭強調６０１、階調補正６０２、カラー設定６０３、彩度設定６０４、および色合い調整６０５）を行ってステップＳ１１４へ進む。
【００６３】
ステップＳ１１４において、演算回路１０１はメニューモードの終了操作が行われたか否かを判定する。演算回路１０１は、メニューボタン２１が押下操作された場合にステップＳ１１４を肯定判定してステップＳ１１５へ進み、メニューボタン２１が押下操作されない場合にはステップＳ１１４を否定判定し、ステップＳ１０１へ戻る。
【００６４】
ステップＳ１１５において、演算回路１０１は、表示装置１１を消灯させて図９による処理を終了する。
【００６５】
ステップＳ１０１を肯定判定して進む図１０のステップＳ１５１において、演算回路１０１は、仕上がり設定に関するメニュー選択か否かを判定する。演算回路１０１は、図１１に例示した撮影メニュー５００の第１階層の項目５０１〜５０３、５０５〜５０７を表示装置１１へ表示中に仕上がり設定５０１を選択する操作信号を受けた場合、ステップＳ１５１を肯定判定してステップＳ１５２へ進む。演算回路１０１は、仕上がり設定５０１を選択する操作信号を受けない場合にはステップＳ１５１を否定判定し、ステップＳ１５７へ進む。
【００６６】
ステップＳ１５２において、演算回路１０１は、図１２に例示したカラー／白黒選択メニュー（すなわち、仕上がり設定５０１の第２階層の項目１６０１〜１６０２）を表示装置１１へ表示させてステップＳ１５３へ進む。
【００６７】
ステップＳ１５３において、演算回路１０１はカラー選択されたか否かを判定する。演算回路１０１は、図１２に例示した第２階層の画面を表示装置１１へ表示中にカラー１６０１を選択する操作信号を受けた場合、ステップＳ１５３を肯定判定してステップＳ１５８へ進む。演算回路１０１は、カラー１６０１を選択する操作信号を受けない場合にはステップＳ１５３を否定判定し、ステップＳ１５４へ進む。
【００６８】
ステップＳ１５４において、演算回路１０１は白黒選択されたか否かを判定する。演算回路１０１は、図１２に例示した第２階層の画面を表示装置１１へ表示中に白黒１６０２を選択する操作信号を受けた場合、ステップＳ１５４を肯定判定してステップＳ１５９へ進む。演算回路１０１は、白黒１６０２を選択する操作信号を受けない場合にはステップＳ１５４を否定判定し、ステップＳ１５５へ進む。
【００６９】
ステップＳ１５５において、演算回路１０１は撮影シーンモードが変更されたか否かを判定する。演算回路１０１は、モードダイヤル４０の操作によって撮影シーンモードが別のシーンモードへ変更された場合、または露出制御モードへ変更された場合にステップＳ１５５を肯定判定してステップＳ１５６へ進む。演算回路１０１は、撮影シーンモードが変更されない場合にはステップＳ１５５を否定判定し、ステップＳ１６１へ進む。
【００７０】
ステップＳ１５６において、演算回路１０１は、表示装置１１を消灯させて図１０による処理を終了する。ステップＳ１６１において、演算回路１０１は、メニューモードの終了操作が行われたか否かを判定する。演算回路１０１は、メニューボタン２１が押下操作された場合にステップＳ１６１を肯定判定してステップＳ１５６へ進み、メニューボタン２１が押下操作されない場合は、ステップＳ１６１を否定判定してステップＳ１５３へ戻る。
【００７１】
ステップＳ１５１を否定判定して進むステップＳ１５７において、演算回路１０１は、仕上がり設定５０１以外の他のメニュー処理（すなわち、画質モード５０２、画像サイズ５０３、ＩＳＯ感度設定５０５、長秒時ノイズ低減５０６、および高感度ノイズ低減５０７）を行って図９のステップＳ１１４へ進む。
【００７２】
ステップＳ１５３を肯定判定して進むステップＳ１５８において、演算回路１０１は、選択シーンモードに対応したカラー画像用の画質調整パラメータを設定してステップＳ１６０へ進む。演算回路１０１は、図１３に例示したように「輪郭強調」、「階調補正」、「カラー設定」、「彩度設定」、「色合い調整」、「ホワイトバランス」に関して所定の調整値を設定する。
【００７３】
ステップＳ１５４を肯定判定して進むステップＳ１５９において、演算回路１０１は、選択シーンモードに対応した白黒画像用の画質調整パラメータを設定してステップＳ１６０へ進む。演算回路１０１は、図１４に例示したように「輪郭強調」、「フィルター効果」、「ホワイトバランス」に関して所定の調整値を設定する。
【００７４】
ステップＳ１６０において、演算回路１０１は、カラー／白黒選択メニュー表示を終了して図９のステップＳ１１４へ進む。具体的には、図１１に例示した撮影メニュー５００の第１階層の項目５０１〜５０３、５０５〜５０７を表示装置１１へ表示する。
【００７５】
以上説明した実施形態によれば、以下のような作用効果が得られる。
（１）露出の制御および画質調整パラメータを自動的に決定するデジタルイメージプログラムを搭載した電子カメラ１で、カラーの撮影画像を取得するモードと、白黒の撮影画像を取得するモードとを選択可能にした。ユーザは、デジタルイメージプログラムを使用する撮影シーンモードで撮影する場合にも、白黒撮影を選ぶことができる。
【００７６】
（２）デジタルイメージプログラムによってカラー画像用の画質調整パラメータが撮影シーンモードごとに個別にセット可能に構成されるのと同様に、白黒画像用の画質調整パラメータも撮影シーンモードごとに個別にセット可能に構成したので、「ポートレートモード」、「風景モード」、「クローズアップモード」、「スポーツモード」、「夜景モード」、「夜景ポートレートモード」など各撮影シーンに適したパラメータを用いて白黒画像を得ることができる。
【００７７】
（３）撮影シーンモードの場合におけるカラー撮影または白黒撮影の選択設定操作は、撮影メニューの第２階層（図１２）で行えるようにしたので、少ないメニュー操作でカラー撮影／白黒撮影を選択できる。さらに、当該撮影メニューの第２階層（図１２）は「カラー」と「白黒」のみを並列に表示にしたので、電子カメラ１に慣れていない初心者ユーザでも簡単に選択操作できる。
【００７８】
（４）デジタルイメージプログラムを利用せずに、露出の制御および画質調整パラメータをそれぞれユーザ設定に応じて電子カメラ１が決定する露出制御モードと、上記（１）〜（３）の撮影シーンモードとを選択可能にした。このため、電子カメラ１に慣れている中・上級者ユーザの求めに応じることも可能である。たとえば、露出制御モードの場合における白黒モードのメニュー画面（図６）において、標準的な画質調整パラメータを電子カメラ１が設定する「スタンダード」と、輪郭強調、階調補正、およびフィルター効果等の画質調整項目をユーザ操作で設定可能な「カスタマイズ」とを選択可能にした。電子カメラ１に慣れている上級者ユーザは、「カスタマイズ」を選んで輪郭強調、階調補正、およびフィルター効果等の画質調整項目を個別に設定できる。一方、上級者ほど慣れていないユーザは、「スタンダード」を選んで簡単に白黒画像の画質調整パラメータを設定できる。
【００７９】
（５）白黒モードのカスタマイズ項目である輪郭強調、階調補正、およびフィルター効果等の画質調整項目を、「スタンダード」と並列に第３階層で表示した（図６）。これにより、メニューの階層を深くすることなく輪郭強調、階調補正、およびフィルター効果等の画質調整項目が表示されるため、設定のための操作をシンプルにすることができる。
【００８０】
（６）白黒モードに関するメニュー画面に「白黒」の表題をつけた（図６、図７(a)〜(c)）ので、白黒モードの輪郭強調や階調補正について設定を行うメニュー画面と、カラーモードの輪郭強調や階調補正について設定を行うメニュー画面とをユーザが混同することを防止できる。
【００８１】
（変形例）
上述した説明では、単色画像の例として白黒画像を説明したが、白黒以外にセピア色の単色画像や青色の単色画像としてもよい。この場合、図４、図６、図７(a)〜図７(c)、および図１２における「白黒」の表記を、対応する文字（たとえば、「セピア」、「青」等）に置き換えればよい。
【００８２】
以上説明した電子カメラ１は、単色撮影とカラー撮影とを行うことができるものであれば、一眼レフカメラでもコンパクトカメラでもよい。
【００８３】
以上の説明はあくまで一例であり、上記の実施形態の構成に何ら限定されるものではない。
【図面の簡単な説明】
【００８４】
【図１】本発明の一実施の形態による電子カメラの背面図である。
【図２】電子カメラのメニュー画面表示に関する構成を例示するブロック図である。
【図３】表示装置に表示した撮影メニュー画面を例示する図である。
【図４】第２階層に属する項目についての表示画面を例示する図である。
【図５】(a)〜(e)は第３階層に属する項目についての表示画面を例示する図である。
【図６】第３階層に属する項目についての表示画面を例示する図である。
【図７】(a)〜(c)は第４階層に属する項目についての表示画面を例示する図である。
【図８】(a)〜(f)は第２階層に属する項目についての表示画面を例示する図である。
【図９】演算回路が実行する表示制御処理の流れを説明するフローチャートである。
【図１０】演算回路が実行する表示制御処理の流れを説明するフローチャートである。
【図１１】表示装置に表示した撮影メニュー画面を例示する図である。
【図１２】第２階層に属する項目についての表示画面を例示する図である。
【図１３】カラーを選択した場合に自動決定する画質調整内容を例示する図である。
【図１４】白黒を選択した場合に自動決定する画質調整内容を例示する図である。
【符号の説明】
【００８５】
１…電子カメラ
１１…表示装置
２１…メニューボタン
３０…マルチセレクター
４０…モードダイヤル
１０１…演算回路
１０２…ＲＯＭ
【図１】
2009200687.tif 000003
【図２】
2009200687.tif 000004
【図３】
2009200687.tif 000005
【図４】
2009200687.tif 000006
【図５】
2009200687.tif 000007
【図６】
2009200687.tif 000008
【図７】
2009200687.tif 000009
【図８】
2009200687.tif 000010
【図９】
2009200687.tif 000011
【図１０】
2009200687.tif 000012
【図１１】
2009200687.tif 000013
【図１２】
2009200687.tif 000014
【図１３】
2009200687.tif 000015
【図１４】
2009200687.tif 000016